(57)【要約】【課題】本発明は、ユーザの変更スケジュールに対して柔軟な電源制御が対応可能な電源制御装置及び電源制御方法を提供する。【解決手段】ホームサーバ１の制御部１０は、メモリ１１のユーザのスケジュール内容を確認し、外出予定時刻である場合、各種家電機器５の電源遮断処理を実行する前に、センサ６、７の検出状況を確認する。もしもセンサ６、７でユーザが検出された場合、制御部１０は、センサ６、７周辺の家電機器５に対して電源投入処理を実行し、センサ６、７でユーザが検出されない場合、家電機器５に対して外出に伴う電源遮断処理を実施する。【選択図】　図１
2004110455.tif 000002
【特許請求の範囲】
【請求項１】
家屋内に設置された各種機器に対して電源を供給する分電盤を制御する電源制御装置において、
ユーザのスケジュールを記憶する記憶手段と、
家屋内におけるユーザの有無を示す情報を受信する受信手段と、
前記受信手段によって受信された前記ユーザの有無を示す情報と前記記憶手段に記憶されたユーザのスケジュール情報とに基づいて前記分電盤に対して各種機器の電源の投入及び遮断処理を制御する制御手段と、
を有することを特徴とする電源制御装置。
【請求項２】
前記制御部は、
前記記憶手段に記憶されたユーザのスケジュールに基づいて、現在時刻がユーザの外出あるいは帰宅に関連する時刻であるかを判断する判断手段と、
この判断手段により外出あるいは帰宅に関連する時刻であると判断されると、前記受信手段で受信される前記ユーザの有無を示す情報を確認する確認手段と、
この確認手段により前記受信情報がユーザが家屋内に居ないことを示す場合、前記記憶手段に記憶されたユーザのスケジュールに基づいて外出に伴う前記機器への電源遮断処理あるいは帰宅に伴う前記機器への電源投入処理を実行する処理手段と、
を有することを特徴とする請求項１記載の電源制御装置。
【請求項３】
前記制御部は、
前記記憶手段に記憶されたユーザのスケジュールに基づいて、現在時刻がユーザの外出あるいは帰宅に関連する時刻であるかを判断する判断手段と、
この判断手段により外出あるいは帰宅に関連する時刻であると判断されると、前記受信手段で受信される前記ユーザの有無を示す情報を確認する確認手段と、
この確認手段により前記受信情報がユーザが家屋内に居ることを示す場合、受信された前記ユーザの有無を示す情報に応じて前記機器への電源遮断処理及び電源投入処理を実行する処理手段と、
を有することを特徴とする請求項１記載の電源制御装置。
【請求項４】
前記制御部は、
前記記憶手段に記憶されたユーザのスケジュールに基づいて、現在時刻がユーザの帰宅に関連する時刻よりも所定時間だけ早い時刻であるかを判断する判断手段と、
この判断手段により帰宅に関連する時刻よりも所定時間だけ早い時刻であると判断されると前記受信手段で受信される前記ユーザの有無を示す情報を確認する確認手段と、
この確認手段により前記受信情報がユーザが家屋内に居ないことを示す場合、前記記憶手段に記憶されたユーザのスケジュールに基づいて帰宅に伴うエアコン機器の電源投入処理及び前記電源投入されたエアコン機器を起動する処理手段と、
を有することを特徴とする請求項１記載の電源制御装置。
【請求項５】
家屋内に設置された各種機器に対して電源を供給する分電盤を制御する電源制御装置における電源制御方法において、
外部より受信する家屋内におけるユーザの有無を示す情報と予め記憶されたユーザのスケジュール情報とに基づいて前記分電盤に対して各種機器の電源の投入及び遮断処理を制御することを特徴とする電源制御方法。
【請求項６】
前記予め記憶されたユーザのスケジュールに基づいて、現在時刻がユーザの外出あるいは帰宅に関連する時刻である時に、前記受信されたユーザの有無を示す情報を確認し、前記受信情報がユーザが家屋内に居ないことを示す場合、前記ユーザのスケジュールに基づいて外出に伴う前記機器への電源遮断処理あるいは帰宅に伴う前記機器への電源投入処理を実行することを特徴とする請求項５記載の電源制御方法。
【請求項７】
前記予め記憶されたユーザのスケジュールに基づいて、現在時刻がユーザの外出あるいは帰宅に関連する時刻である時に、前記受信されたユーザの有無を示す情報を確認し、前記受信情報がユーザが家屋内に居ることを示す場合、受信された前記ユーザの有無を示す情報に応じて前記機器への電源遮断処理及び電源投入処理を実行することを特徴とする請求項５記載の電源制御方法。
【請求項８】
前記予め記憶されたユーザのスケジュールに基づいて、現在時刻がユーザの帰宅に関連する時刻よりも所定時間だけ早い時刻である時に、前記受信されたユーザの有無を示す情報を確認し、前記受信情報がユーザが家屋内に居ないことを示す場合、前記ユーザのスケジュールに基づいて帰宅に伴うエアコン機器の電源投入処理及び前記エアコン機器の起動を実行することを特徴とする請求項５記載の電源制御方法。
【請求項９】
家屋内に設置されたビデオ機器に対して電源を供給する分電盤を制御する電源制御装置において、
ビデオ予約情報を記憶する記憶手段と、
家屋内に設置されたビデオ機器から使用状況及び電源供給状況を示す情報を受信する受信手段と、
前記記憶手段に記憶された前記ビデオ予約情報に基づき、ビデオ予約開始時間以前に、前記受信手段によって前記ビデオ機器に電源が供給されていないことを示す情報が受信されると、前記分電盤に対して前記ビデオ機器の電源の投入処理を実行するとともに、前記ビデオ機器に対して初期設定及びビデオ予約処理を実行するよう制御する制御手段と、
を有することを特徴とする電源制御装置。
【請求項１０】
前記制御手段は、前記受信手段によって前記ビデオ機器に電源が供給されているが使用されていないことを示す情報が受信されると、前記ビデオ機器に対して初期設定を実行し、前記記憶手段に記憶された前記ビデオ予約情報に基づいてビデオ予約処理を実行する処理手段を有することを特徴とする請求項９記載の電源制御装置。
【請求項１１】
家屋内に設置されたビデオ機器に対して電源を供給する分電盤を制御する電源制御装置において、
ビデオ予約情報を記憶する記憶手段と、
家屋内に設置されたビデオ機器から使用状況及び電源供給状況を示す情報を受信する第１の受信手段と、
家屋内におけるユーザの有無を示す情報を受信する第２の受信手段と、
前記記憶手段に記憶されたビデオ予約情報に基づいたビデオ予約終了時間以降に、前記第１の受信手段によって前記ビデオ機器が使用されていないことを示す情報が受信され、かつ前記第２の受信手段によってユーザが家屋内に居ないことを示す情報が受信されると、前記分電盤に対して前記ビデオ機器の電源の遮断処理を実行するよう制御する制御手段と、
を有することを特徴とする電源制御装置。
【請求項１２】
家屋内に設置されたビデオ機器に対して電源を供給する分電盤を制御する電源制御装置の電源制御方法において、
予め設定されたビデオ予約情報に基づいて、ビデオ予約開始時間以前に、外部より前記ビデオ機器に電源が供給されていないことを示す情報が受信と検出されると、前記分電盤に対して前記ビデオ機器の電源の投入処理を実行し、前記ビデオ機器に対して初期設定を実行し、前記ビデオ予約情報に基づいてビデオ予約処理を実行するよう制御することを特徴とする電源制御方法。
【請求項１３】
家屋内に設置されたビデオ機器に対して電源を供給する分電盤を制御する電源制御装置の電源制御方法において、
予め設定されたビデオ予約情報に基づいて、ビデオ予約開始時間以前に、外部より前記ビデオ機器が使用されていない情報およびユーザが家屋内に居ないことを示す情報が受信されると、前記分電盤に対して前記ビデオ機器の電源の遮断処理を実行するよう制御することを特徴とする電源制御方法。
【発明の詳細な説明】
【０００１】
【発明の属する技術分野】
本発明は、被電源制御装置に対する電源投入や遮断処理を行う電源制御装置及び電源制御方法に関する。
【０００２】
【従来の技術】
現在の家庭内には、リモコン操作等で制御可能なように、常に待機電力を持ち、電力消費を行っている電気機器が多数存在する。近年、環境問題として省エネが取り上げられると、電気機器の未使用時の待機電力を減少させる方法が考えられている。
【０００３】
例えば従来の技術として、特開２００１−１５９９３５号公報には、予め電源投入日付時刻及び電源遮断日付時刻が格納（設定）されており、現在の日付・時刻と一致した場合に、電源投入あるいは電源遮断処理を行う電源制御システムの構成が開示されている。
【０００４】
【特許文献１】
特開２００１−１５９９３５号公報（第４図）
【０００５】
【発明が解決しようとする課題】
しかしながら、従来の装置では、予め設定された電源投入日付時刻あるいは電源遮断日付時刻とは異なるスケジュールをユーザが取った場合に、設定の変更入力を行う以外にはユーザの変更スケジュールに対して対応することができず、ユーザが家屋内に居るにも関わらず周辺機器の電源が遮断される虞がある。
【０００６】
本発明は、以上の点に鑑みなされたもので、ユーザの変更スケジュールに対して柔軟な電源制御が対応可能な電源制御装置及び電源制御方法を提供することを目的とする。
【０００７】
【課題を解決するための手段】
上記目的を達成するために、本発明の電源制御装置は、家屋内に設置された各種機器に対して電源を供給する分電盤を制御する電源制御装置において、ユーザのスケジュールを記憶する記憶手段と、家屋内におけるユーザの有無を示す情報を受信する受信手段と、前記受信手段によって受信された前記ユーザの有無を示す情報と前記記憶手段に記憶されたユーザのスケジュール情報とに基づいて前記分電盤に対して各種機器の電源の投入及び遮断処理を制御する制御手段と、を有することを特徴とする。
【０００８】
上記目的を達成するために、本発明の電源制御方法は、家屋内に設置された各種機器に対して電源を供給する分電盤を制御する電源制御装置における電源制御方法において、外部より受信する家屋内におけるユーザの有無を示す情報と予め記憶されたユーザのスケジュール情報とに基づいて前記分電盤に対して各種機器の電源の投入及び遮断処理を制御することを特徴とする。
【０００９】
上記目的を達成するために、本発明の電源制御装置は、家屋内に設置されたビデオ機器に対して電源を供給する分電盤を制御する電源制御装置において、ビデオ予約情報を記憶する記憶手段と、家屋内に設置されたビデオ機器から使用状況及び電源供給状況を示す情報を受信する受信手段と、前記記憶手段に記憶された前記ビデオ予約情報に基づき、ビデオ予約開始時間以前に、前記受信手段によって前記ビデオ機器に電源が供給されていないことを示す情報が受信されると、前記分電盤に対して前記ビデオ機器の電源の投入処理を実行するとともに、前記ビデオ機器に対して初期設定及びビデオ予約処理を実行するよう制御する制御手段と、を有することを特徴とする。
【００１０】
上記目的を達成するために、本発明の電源制御装置は、家屋内に設置されたビデオ機器に対して電源を供給する分電盤を制御する電源制御装置において、ビデオ予約情報を記憶する記憶手段と、家屋内に設置されたビデオ機器から使用状況及び電源供給状況を示す情報を受信する第１の受信手段と、家屋内におけるユーザの有無を示す情報を受信する第２の受信手段と、前記記憶手段に記憶されたビデオ予約情報に基づいたビデオ予約終了時間以降に、前記第１の受信手段によって前記ビデオ機器が使用されていないことを示す情報が受信され、かつ前記第２の受信手段によってユーザが家屋内に居ないことを示す情報が受信されると、前記分電盤に対して前記ビデオ機器の電源の遮断処理を実行するよう制御する制御手段と、を有することを特徴とする。
【００１１】
【発明の実施の形態】
以下、本発明に係る実施の形態について図面を参照して詳細に説明する。図１は、本発明の一実施の形態に係る電源制御装置としてのホームサーバ１及びその周辺機器の構成を概略的に示す図である。また、図２は、ホームサーバ１及びその周辺機器の構成の変形例を概略的に示す図である。
【００１２】
図１に示すように、ホームサーバ１は、制御手段としての制御部１０と、記憶手段としてのメモリ１１を保持し、分電盤２と接続されている。そして、制御部１０は、分電盤２に対して、分電盤２から電源を供給される各種家電機器５の電源の遮断処理あるいは投入処理に関する電源制御信号を出力する。ホームサーバ１の制御部１０は、また、後述するように入力部（図示せぬ）から入力されたユーザのスケジュールをメモリ１１に記憶する。
【００１３】
分電盤２は、電源ケーブル４を介して、家屋内の各種家電機器５（テレビ５ａ、ビデオデッキ５ｂ、ステレオセット５ｃ、エアコン５ｄ等）と接続されている。これら家電機器５はＩＰｖ６に対応している。
【００１４】
そして、分電盤２は、ホームサーバ１による電源制御信号に従って、各種家電機器５に対して電源ケーブル４を介して供給される電源の遮断処理や投入処理を個別に行う。
【００１５】
更に、ホームサーバ１は、家屋内の各部屋に設置された複数の赤外線センサ６と、複数の重量センサ７と接続されている。そして、この検出手段としての赤外線センサ６や重量センサ７からの検出情報がホームサーバ１に入力され、ホームサーバ１の制御部１０が家屋内のユーザの居る場所を判断できるようになっている。
【００１６】
そして、ホームサーバ１の制御部１０は、接続された各種センサ６、７からの検出情報、更には内部メモリ１１に登録されたユーザのスケジュールに基いて、各種家電機器５の未使用時にはその電源を遮断するようにし、各種家電機器５の使用時には電源を投入するよう、分電盤２を制御する。
【００１７】
尚、図示しないが、ホームサーバ１は、各種家電機器５と、有線あるいは無線で、制御信号や応答信号を送受信することができるようになっている。従って、ホームサーバ１は、各種家電機器５の使用状況を確認することができる。
【００１８】
また、図１は、ホームサーバ１と分電盤２が一体となった分電盤一体型ホームサーバ３からなる構成を示す図であるが、これに限らず、図２に示すような、ホームサーバ１と分電盤２が別々に構成されたものであっても良い。
【００１９】
図３は、ホームサーバ１のメモリ１１に記憶されるユーザのスケジュール登録にについて説明する図である。
【００２０】
ホームサーバ１の制御部１０は、図示せぬ表示部と入力部を用いてユーザによってスケジュールが入力されると、メモリ１１に記憶する。本実施例では、ユーザによって、日程、時間、用件を入力されるようになっている。
【００２１】
ホームサーバ１の制御部１０は、入力されたスケジュールをメモリ１１に記憶するとともに、入力されたスケジュールに基いて、ユーザの外出予定時刻と帰宅予定時刻を割り出し、同様にメモリ１１に記憶する。
【００２２】
本実施例では、例えば、ユーザによって、『○月２日は８時から２０時まで仕事である』とスケジュール入力されると、ホームサーバ１の制御部１０は、メモリ１１に『日程：○月２日』『時間：８時〜２０時』『用件：仕事』を記憶すると共に、外出予定時刻として８時を、帰宅予定時刻として２０時を割り出し、記憶する。
【００２３】
同様に、例えば、ユーザによって、『○月４日の６時から○月６日２０時まで旅行である』とスケジュール入力されると、ホームサーバ１の制御部１０は、メモリ１１に『日程：○月４日』『時間：６時〜』『用件：旅行』、『日程：○月５日』『時間：終日』『用件：旅行』、『日程：○月６日』『時間：〜２０時』『用件：旅行』を記憶する。
【００２４】
更にホームサーバ１の制御部１０は、外出予定時刻として○月４日６時を、帰宅予定時刻として○月６日２０時を割り出し、メモリ１１に記憶する。そして、このメモリ１１に記憶された外出予定時刻及び帰宅予定時刻に基いて、後述する電源制御を実行する。
【００２５】
図４は、ホームサーバ１による電源制御方法を説明するためのフローチャート図である。
まず、ホームサーバ１の制御部１０は、メモリ１１に記憶されたユーザのスケジュール内容を確認する。即ち、ホームサーバ１がカウントする現在時刻と、スケジュール内容とを比較し、スケジュール内容に変化が生じる時刻であるか、スケジュールに変化が生じた時刻は外出予定時刻であるか、または帰宅予定時刻であるかを判断する（ＳＴ１１）。
【００２６】
また、ＳＴ１１の判断の結果、スケジュールに変化が生じる時刻であり、外出予定時刻であると判断されると（ＳＴ１２のＹ、ＳＴ１３のＹ）、制御部１０は、ユーザの外出に伴う各種家電機器５の電源遮断処理を実行する前に、センサ６、７からの検出情報を確認する（ＳＴ１４）。
【００２７】
ＳＴ１４による確認の結果、センサ６、７によりユーザが居ることを検出されている場合には（ＳＴ１５のＹ）、制御部１０は、センサ６、７が検出している部屋周辺の家電機器５に電源を供給するよう電源制御信号を分電盤２へ出力する。分電盤２は、センサ６、７が検出している部屋周辺の家電機器５で、電源供給されていない（ＯＦＦ状態の）家電機器５に対して電源を供給する（電源ＯＮ状態とする）（ＳＴ１６）。
【００２８】
センサ６、７によってユーザの家屋内の所在位置が検出されている間は、制御部１０は、検出センサ６、７の周辺の家電機器５に対して電源を供給するよう分電盤２に電源制御信号を出力して電源投入処理を実施し、検出しなくなったセンサ６、７の周辺の家電機器５に対しては、供給電源を遮断するよう分電盤２に電源制御信号を出力して電源遮断処理を実施する（ＳＴ１４、ＳＴ１５のＹ、ＳＴ１６）。
【００２９】
ＳＴ１４による確認の結果、いずれのセンサ６、７もユーザの所在を検出しない場合には（ＳＴ１５のＮ）、制御部１０は、予め電源ＯＦＦ（遮断）してはいけないと設定されている家電機器５（例えば電話やＦＡＸ等）以外の家電機器５の電源を遮断するよう電源制御信号を分電盤２へ出力する。分電盤２は、家電機器５の中で電源が供給されている（電源ＯＮ状態の）機器に対して供給電源を遮断（電源ＯＦＦ状態と）し（ＳＴ１７）、ＳＴ１１の処理へと戻る。
【００３０】
ＳＴ１１の判断の結果、スケジュールに変化が生じる時刻であるが、外出予定時刻でも帰宅予定時刻でもない場合（ＳＴ１２のＹ、ＳＴ１３のＮ、ＳＴ１８のＮ）、外出や帰宅と関係しないスケジュール内容であると判断し、例えば後述するような対応する所定の処理を実行後（ＳＴ１９）、ＳＴ１１の処理へと戻る。
【００３１】
ＳＴ１１の判断の結果、スケジュールに変化が生じる時刻であり、帰宅予定時刻であると判断された場合（ＳＴ１２のＹ、ＳＴ１３のＮ、ＳＴ１８のＹ）、またはＳＴ１１の判断の結果、スケジュールに変化が生じないと判断された場合（ＳＴ１２のＮ）、制御部１０は、まずセンサ６、７からの検出情報を確認する（ＳＴ２０）。
【００３２】
ＳＴ２０による確認の結果、センサ６、７がユーザが居ることを検出している場合には（ＳＴ２１のＹ）、制御部１０は、センサ６、７が検出している部屋周辺の家電機器５に電源を供給するよう電源制御信号を分電盤２へ出力する。分電盤２は、センサ６、７が検出している部屋周辺の家電機器５で、電源供給されていない（ＯＦＦ状態の）家電機器５に対して電源を供給する（電源ＯＮ状態とする）（ＳＴ２２）。
【００３３】
センサ６、７によってユーザの家屋内の所在位置が検出されている間は、制御部１０は、検出センサ６、７の周辺の家電機器５に対して電源を供給するよう分電盤２に電源制御信号を出力して電源投入処理を実施し、検出しなくなったセンサ６、７の周辺の家電機器５に対しては、供給電源を遮断するよう分電盤２に電源制御信号を出力して電源遮断処理を実施する（ＳＴ２０、ＳＴ２１のＹ、ＳＴ２２）。
【００３４】
ＳＴ２０による確認の結果、いずれのセンサ６、７もユーザの所在を検出しない場合には（ＳＴ２１のＮ）、制御部１０は、現在時刻と帰宅予定時刻とを比較し、帰宅予定時刻より所定時間だけ前（本実施例では１５分前）の時間であるかを確認する（ＳＴ２３）。
【００３５】
ＳＴ２３の確認の結果、帰宅予定時刻の所定時間だけ前（本実施例では１５分前）ではないと判断された場合（ＳＴ２４のＮ）、ＳＴ１１の処理へと戻る。
【００３６】
ＳＴ２３の確認の結果、帰宅予定時刻の所定時間だけ前（本実施例では１５分前）であると判断された場合（ＳＴ２４のＹ）、制御部１０は家屋内の家電機器、特にエアコン５ｄの状態（使用状況や電源ＯＮ／ＯＦＦ状況）を確認する（ＳＴ２５）。
【００３７】
ＳＴ２５の確認の結果、エアコン５ｄが使用されていると確認された場合には（ＳＴ２６のＹ）、エアコン５ｄの状態はそのままに、ＳＴ１１の処理へと戻る。ＳＴ２５の確認の結果、エアコン５ｄが不使用であると確認された場合には（ＳＴ２６のＮ）、制御部１０は、エアコン５ｄへ電源を供給するよう分電盤２に電源制御信号を出力する。
【００３８】
分電盤２は、エアコン５ｄに対して電源を供給し（電源ＯＮ状態とし）、ホームサーバ１の制御部１０は電源が供給されると、エアコン５ｄのスイッチをＯＮとしてエアコン５ｄを稼動させ（ＳＴ２７）、ＳＴ１１の処理へと戻る。
【００３９】
上述するように、本実施例では、予め設定されたユーザのスケジュール情報に基き、更には各種センサからのユーザ情報に基いて、各種家電機器の電源投入処理や電源遮断処理を実行するようになっている。
【００４０】
これにより、予め設定されている情報（この場合ユーザのスケジュール情報）のみならず、センサの検出情報を考慮して、各種家電機器の電源制御を行うことができ、急なユーザのスケジュール変更に柔軟に対応しながら、待機電力消費を低く押させることが可能となる。
【００４１】
次に、図５は、電源投入処理の一応用例としての、ビデオデッキに対するビデオ予約開始処理方法を説明するためのフローチャート図であり、本実施例の図４におけるＳＴ１９の処理に対応する。
【００４２】
図４に示すＳＴ１１の判断の結果、スケジュールに変化が生じる時刻であるが、外出予定時刻でも帰宅予定時刻でもない場合、即ち本実施例ではビデオ予約開始時刻より所定時間だけ前（本実施例では３分前）の時間であるかを確認すると（ＳＴ１２のＹ、ＳＴ１３のＮ、ＳＴ１８のＮ）、ホームサーバ１の制御部１０は、予約ビデオデッキ５ｂの状態（使用状況や電源ＯＮ／ＯＦＦ状況）を確認する（ＳＴ４３）。
【００４３】
ＳＴ４３の確認の結果、ビデオデッキ５ｂの電源が遮断された状態（ＯＦＦ状態）であった場合には（ＳＴ４４のＮ）、制御部１０は、ビデオデッキ５ｂに電源を供給するよう電源制御信号を分電盤２へ出力する。分電盤２は、電源供給されていない（ＯＦＦ状態の）ビデオデッキ５ｂに対して電源を供給する（電源ＯＮ状態とする）（ＳＴ４８）。
【００４４】
ＳＴ４３の確認の結果、ビデオデッキ５ｂの電源が供給されている状態（ＯＮ状態）で、かつ使用されていない場合（ＳＴ４４のＹ、ＳＴ４５のＮ）、あるいは、ＳＴ４８でビデオデッキ５ｂを電源ＯＮ状態とした後、制御部１０は、ビデオデッキ５ｂの初期設定情報（例えば現在日付や現在時刻など）をビデオデッキ５ｂに送信し、ビデオデッキ５ｂに設定する（ＳＴ４９）。
【００４５】
ＳＴ４９による初期設定情報の設定が終了すると、次に制御部１０は、予約情報をビデオデッキ５ｂに対して送信し、ビデオデッキ５ｂにタイマー設定し、ビデオデッキ予約開始処理を終了し（ＳＴ５０）、図４に示すＳＴ１１の処理へと戻る。
【００４６】
ビデオデッキ５ｂは、ＳＴ４９で設定された現在の日付や時刻に関する情報と予約情報とから、予約された時刻と判断されると、予約情報に従って、録画を開始する。
【００４７】
また、ＳＴ４３の確認の結果、ビデオデッキ５ｂの電源が供給されている状態（ＯＮ状態）で、かつ使用されている場合（ＳＴ４４のＹ、ＳＴ４５のＹ）、制御部１０は、ビデオデッキ５ｂに対して、予約情報が設定されていることを示す警告画面を表示するよう指示する制御信号を出力する（ＳＴ４６）。
【００４８】
ＳＴ４６の指示の結果、ビデオ予約がキャンセルされず、ビデオデッキ５ｂが継続的に使用されており予約録画を行えない場合には（ＳＴ４７のＮ、ＳＴ４５のＹ）、制御部１０は、本実施例では、定期的にビデオデッキ５ｂに対して、予約情報が設定されていることを示す警告画面を表示するよう指示する制御信号を出力する（ＳＴ４６）。
【００４９】
ＳＴ４６の指示の結果、ビデオ予約がキャンセルされた場合（ＳＴ４７のＹ）、ビデオデッキ５ｂが使用されているので、ホームサーバ１の制御部１０は、ビデオデッキ５ｂに対して電源遮断処理を行うことなく、ビデオデッキ予約開始処理を終了し、図４に示すＳＴ１１の処理へと戻る。
【００５０】
次に、図６は、電源遮断処理の一応用例としての、ビデオデッキに対するビデオ予約終了処理方法を説明するためのフローチャート図であり、本実施例の図４におけるＳＴ１９の処理に対応する。
【００５１】
図４に示すＳＴ１１の判断の結果、スケジュールに変化が生じる時刻であるが、外出予定時刻でも帰宅予定時刻でもない場合、即ち本実施例ではビデオ予約終了時刻を過ぎたことを確認すると（ＳＴ１２のＹ、ＳＴ１３のＮ、ＳＴ１８のＮ）、ホームサーバ１の制御部１０は、予約ビデオデッキ５ｂの状態（使用状況や電源ＯＮ／ＯＦＦ状況）を確認する（ＳＴ６１）。
【００５２】
ＳＴ６１の確認の結果、ビデオデッキ５ｂが予約録画の終了後にも使用されている場合（ＳＴ６２のＹ）、あるいはＳＴ６１の確認の結果、ビデオデッキ５ｂは使用されていないが、ビデオデッキ５ｂ周辺に設置されたセンサ６、７でユーザが検出されている場合（ＳＴ６２のＮ、ＳＴ６３のＹ）、ホームサーバ１の制御部１０は、ビデオデッキ５ｂに対して電源遮断処理を行うことなく、ビデオデッキ予約終了処理を終了し、図４に示すＳＴ１１の処理へと戻る。
【００５３】
ＳＴ６１の確認の結果、ビデオデッキ５ｂは使用されておらず、ビデオデッキ５ｂ周辺に設置されたセンサ６、７でユーザが検出されていない場合（ＳＴ６２のＮ、ＳＴ６３のＮ）、ホームサーバ１の制御部１０は、分電盤２に対して、ビデオデッキ５ｂに供給する電源を遮断する（ＯＦＦ状態とする）よう電源制御信号を出力する。
【００５４】
分電盤２は、電源制御信号を受けて、ビデオデッキ５ｂに対する電源供給を遮断し、電源ＯＦＦ状態として、ビデオ予約終了処理を終了し（ＳＴ５６）、図４に示すＳＴ１１の処理へと戻る。
【００５５】
上述するように、本実施例では、予め設定されたビデオ予約情報に基き、更には各種センサからのユーザ情報やビデオデッキの使用状況等に基いて、ビデオ予約開始時刻よりも早くにビデオデッキに電源投入処理、ビデオ予約設定処理を実行するようになっている。また、ビデオ予約終了時刻を過ぎると、各種センサからのユーザ情報やビデオの使用状況等に基いて、ビデオデッキの電源遮断処理を実行するようになっている。
【００５６】
これにより、予め設定されている情報（この場合予約情報）のみならず、センサの検出情報やビデオの使用状況等を考慮して、ビデオデッキの電源をホームサーバで制御し、待機電力消費を低く押させることが可能となる。
【００５７】
【発明の効果】
以上説明したように、本発明によれば、ユーザの変更スケジュールに対して柔軟な電源制御が対応できる。
【図面の簡単な説明】
【図１】本発明の一実施の形態に係る電源制御装置としてのホームサーバ１及びその周辺機器の構成を示す図。
【図２】本発明の一実施の形態に係る電源制御装置としてのホームサーバ１及びその周辺機器の他の構成を示す図。
【図３】ホームサーバ１に登録されたスケジュールを説明するための図。
【図４】ホームサーバ１による電源制御方法を説明するためのフローチャート図。
【図５】ホームサーバ１によるビデオデッキ５ｂのビデオ予約開始処理を説明するためのフローチャート図。
【図６】ホームサーバ１によるビデオデッキ５ｂのビデオ予約終了処理を説明するためのフローチャート図。
【符号の説明】
１　　ホームサーバ
２　　分電盤
３　　分電盤一体型ホームサーバ
４　　電源ケーブル
５ａ、５ｂ、５ｃ、５ｄ　　家電機器
６　　赤外線センサ
７　　重量センサ
【図１】
2004110455.tif 000003
【図２】
2004110455.tif 000004
【図３】
2004110455.tif 000005
【図４】
2004110455.tif 000006
【図５】
2004110455.tif 000007
【図６】
2004110455.tif 000008